(57)【要約】【課題】既設のタオル掛けの長さを越えて長くした状態で使用することができ、長さの調節も自在にできるようにした増設型のタオル掛けを提供すること。【解決手段】長さ調整可能な複数本のタオル掛けバー７と、該タオル掛けバー７の長手方向両端を支持する一対の支持アーム８，８と、該一対の支持アーム８，８の後端間に前記タオル掛けバー７と平行に架設されしかも長さ調整可能とされた枢軸９と、該枢軸９の長手方向両端に設けられた一対の壁面当接脚部１０，１０と、該一対の壁面当接脚部１０，１０間で前記枢軸９上に該枢軸９の長手方向に基端１１ａを摺動可能に装着され先端１１ｂ側を既設のタオル掛けバー４と壁面３との間の空間１２に挿入可能とされた一対の補助支持部材１１，１１とを備え、該一対の補助支持部材１１，１１は、既設のタオル掛けバー４の上面に当接掛止する部分１１ｃと壁面に当接する部分１１ｄとを途中と先端に有している。【選択図】図１
0003111984.tif 000002
【実用新案登録請求の範囲】
【請求項１】
長さ調整可能な複数本のタオル掛けバーと、該タオル掛けバーの長手方向両端を支持する一対の支持アームと、該一対の支持アームの後端間に前記タオル掛けバーと平行に架設されしかも長さ調整可能とされた枢軸と、該枢軸の長手方向両端に設けられた一対の壁面当接脚部と、該一対の壁面当接脚部間で前記枢軸上に該枢軸の長手方向に基端を摺動可能に装着され先端側を既設のタオル掛けバーと壁面との間の空間に挿入可能とされた一対の補助支持部材とを備え、該一対の補助支持部材は、既設のタオル掛けバーの上面に当接掛止する部分と壁面に当接する部分とを途中と先端に有していることを特徴とする増設型のタオル掛け。
【請求項２】
長さ調整可能な複数本のタオル掛けバーと、該タオル掛けバーの長手方向両端を支持する一対の支持アームと、該一対の支持アームの後端間に前記タオル掛けバーと平行に架設されしかも長さ調整可能とされた枢軸と、該枢軸の長手方向両端に設けられた一対の壁面当接脚部と、該一対の壁面当接脚部間で前記枢軸上に該枢軸の長手方向に基端を摺動可能に装着された一対の補助支持部材とを備え、該一対の補助支持部材は、既設のタオル掛けバーに掛止するフック部分を先端に有していることを特徴とする増設型のタオル掛け。
【考案の詳細な説明】
【技術分野】
【０００１】
本考案は、洗面所、浴室、トイレ、台所等の壁面に既に設置されているタオル掛けに簡単に装着できる増設型のタオル掛けに関するものである。
【背景技術】
【０００２】
既設のタオル掛けは、タオル掛けバーの長さを自由に変更調節することはできず、また、タオル掛けバーの本数を増やすこともできなかった。
そこで、既設のタオル掛けに簡単に装着できる増設型のタオル掛けが提案されている。例えば、増設側のタオル掛けバーの両端を支持する一対のサイド部材を既設のタオル掛けバーの両端を支持する一対のサイド部材の左右両端間に配置し、前者のサイド部材の後端を壁面に当接させると共に該サイド部材の前後方向途中下面を既設のタオル掛けバーの上面に載置しクリップで掛止保持するようにした増設タオル掛けが公知である（特許文献１参照）。
【０００３】
また、Ｕ字形の枠体に複数のタオル掛けバーを取り付け、枠体の両端に上方凸型の湾曲部を設け、両湾曲部から下方に伸びるアームを設け、前記枠体を既設のタオル掛けバーの両端を支持する一対の支持部材の左右両端間に配置し、前記湾曲部を既設のタオル掛けバーに掛止すると共に、前記アームの途中後面を壁面に当接するようにした追加取り付け式タオル掛けも公知である（特許文献２参照）。
【特許文献１】特開２００１−２９９６３１号公報
【特許文献２】特開２００３−２１９９８０号公報
【考案の開示】
【考案が解決しようとする課題】
【０００４】
上記特許文献１のものは、既設のタオル掛けバーの両端を支持する左右一対のサイド部材の左右両端間の設置間隔内に増設タオル掛けを設置しなければならず、増設タオル掛けバーの長さを既設タオル掛けバーの長さ以上に延長して設置することができない。
また、上記特許文献２のものも、既設のタオル掛けバーの両端を支持する左右一対の支持部材の左右両端間の設置間隔内に追加取り付け式タオル掛けの枠体を設置しなければならず、追加取り付け式タオル掛けバーの長さを既設タオル掛けバーの長さ以上に延長して設置することができない。
【０００５】
このように、特許文献１，２のタオル掛けは、既設のタオル掛けのバー長さ以下のものに制限され、既設のタオル掛けバー長さ以上の長さをもつ大型タオル（例えば、バスタオル等）を広げて掛止することができなかった。
その原因は、増設乃至追加側のタオル掛けのバーの両端を支持する支持部材自体を既設のタオル掛けへの掛止手段に利用するという発想に固執していたためであると考えられる。
本考案は、上記公知技術文献の発想から離れて新たな発想のもとに開発されたもので、その目的とするところは、既設のタオル掛けの長さを越えて長くした状態で使用することができ、長さの調節も自在にできるようにした増設型のタオル掛けを提供することにある。
【課題を解決するための手段】
【０００６】
前記目的を達成するため、本考案は、長さ調整可能な複数本のタオル掛けバーと、該タオル掛けバーの長手方向両端を支持する一対の支持アームと、該一対の支持アームの後端間に前記タオル掛けバーと平行に架設されしかも長さ調整可能とされた枢軸と、該枢軸の長手方向両端に設けられた一対の壁面当接脚部と、該一対の壁面当接脚部間で前記枢軸上に該枢軸の長手方向に基端を摺動可能に装着され先端側を既設のタオル掛けバーと壁面との間の空間に挿入可能とされた一対の補助支持部材とを備え、該一対の補助支持部材は、既設のタオル掛けバーの上面に当接掛止する部分と壁面に当接する部分とを途中と先端に有していることを特徴としている。
【０００７】
上記構成の増設型のタオル掛けによれば、一対の補助支持部材を既設のタオル掛けバーの両端を支持する一対の支持部材間に配置して該既設のタオル掛けバーと壁面とに増設型タオル掛け全体の重量を受け止めさせることができ、増設型のタオル掛けバーの長手方向両端を支持する一対の支持アーム及び壁面当接脚部を既設のタオル掛けバーの両端を支持する一対の支持部材よりも両側に自由に延長して張り出させて一対の壁面当接脚部により壁面に対して安定した姿勢を保持させることができるため、既設のタオル掛けの長さを越えて長くした状態で使用することができ、長さの調節も自在にできる。
【０００８】
また、本考案は、長さ調整可能な複数本のタオル掛けバーと、該タオル掛けバーの長手方向両端を支持する一対の支持アームと、該一対の支持アームの後端間に前記タオル掛けバーと平行に架設されしかも長さ調整可能とされた枢軸と、該枢軸の長手方向両端に設けられた一対の壁面当接脚部と、該一対の壁面当接脚部間で前記枢軸上に該枢軸の長手方向に基端を摺動可能に装着された一対の補助支持部材とを備え、該一対の補助支持部材は、既設のタオル掛けバーに掛止するフック部分を先端に有していることを特徴としている。
上記構成によれば、一対の補助支持部材の先端のフック部分を既設のタオル掛けバーに掛止することによって増設型タオル掛け全体の重量を受け止めさせることができ、増設型のタオル掛けバーの長手方向両端を支持する一対の支持アーム及び壁面当接脚部を既設のタオル掛けバーの両端を支持する一対の支持部材よりも両側に自由に延長して張り出させて一対の壁面当接脚部により壁面に対して安定した姿勢を保持させることができるため、既設のタオル掛けの長さを越えて長くした状態で使用することができ、長さの調節も自在にできる。
【考案の効果】
【０００９】
本考案の増設型のタオル掛けによれば、一対の補助支持部材を別設してこれで既設のタオル掛けに掛止させ、増設型のタオル掛けの支持アーム及び壁面当接脚部により増設型のタオル掛けの姿勢を安定して保持させるようにしたことにより、既設のタオル掛けの長さを越えて長くした状態のタオル掛けバーに大型タオル（バスタオル等）を掛止して使用することができ、タオル掛けバーの長さの調節も自在にできる。
【考案を実施するための最良の形態】
【００１０】
以下、本考案の実施の形態を図面に基づいて説明する。
図１及び図２（Ａ）（Ｂ）は、本考案の増設型のタオル掛けを既設のタオル掛けに掛止した状態の第１の実施形態を示しており、１は既設のタオル掛け、２は本考案の増設型のタオル掛け、３は壁面を示している。
既設のタオル掛け１は、タオル掛けバー４と、該タオル掛けバー４の長手方向両端を支持する一対の支持部材５，５とからなり、該一対の支持部材５，５の後端をネジ６又は接着剤などの取付手段によって壁面３に取り付けられている。
【００１１】
本考案の増設型のタオル掛け２は、長さ調整可能な複数本のタオル掛けバー７と、該タオル掛けバー７の長手方向両端を支持する一対の支持アーム８，８と、該一対の支持アーム８，８の後端間に前記タオル掛けバー７と平行に架設されしかも長さ調整可能とされた枢軸９と、該枢軸９の長手方向両端に設けられた一対の壁面当接脚部１０，１０と、該一対の壁面当接脚部１０，１０間で前記枢軸９上に該枢軸９の長手方向に基端１１ａを摺動可能に装着され先端１１ｂ側を既設のタオル掛けバー４と壁面３との間の空間１２に挿入可能とされた一対の補助支持部材１１，１１とを備え、該一対の補助支持部材１１，１１は、既設のタオル掛けバー４の上面に当接掛止する部分１１ｃと壁面３に当接する部分１１ｄとを途中下面と先端に有している。
【００１２】
タオル掛けバー７は、大径パイプ部分７ａと小径パイプ部分７ｂとからなり、小径パイプ部分７ｂを大径パイプ部分７ａ内に出し入れ可能に収納され、これによって、長さ調整可能とされている。
一対の支持アーム８，８は、前後方向に長い腕杆形状とされ、後端（基端）に筒部８ａ，８ａを有し、先端側には、タオル掛けバー７が適宜の間隔で複数本（図は２本の場合を例示しているが、２本以上でもよい）配設されている。各タオル掛けバー７の両端部は、支持アーム８，８に形成された支持孔８ｂ（図２（Ａ）参照）に圧入嵌合されて固定的に支持されている。
【００１３】
枢軸９は、大径パイプ部分９ａと小径パイプ部分９ｂとからなり、小径パイプ部分９ｂを大径パイプ部分９ａ内に出し入れ可能に収納され、これによって、長さ調整可能とされている。
一対の壁面当接脚部１０，１０は、上側部材１０ａと下側部材１０ｂとを有し、これらが側面視で略くの字形状とされ、両部材の屈曲部の一側面（外側面）に筒軸部１０ｃ（図２（Ａ）参照）を有する。この筒軸部１０ｃは、図２（Ａ）に示すように、支持アーム８の筒部８ａ内に挿入され、該筒部８ａ内に形成された環状段部８ｃに掛止爪１０ｄを掛止することで支持アーム８と壁面当接脚部１０とが回動自在に嵌合されて抜け止め保持されている。
【００１４】
上記掛止爪１０ｄは、筒軸部１０ｃを部分的に切り欠いて形成されており、支持アーム８の筒部８ａ内に筒軸部１０ｃを挿入するとき、径方向内側に弾性変形して筒部８ａ内を潜入通過し、環状段部８ｃの所で径方向外側に弾性復帰して抜け止め掛止されている。
壁面当接脚部１０には、支持アーム８の回動を規制するストッパ１０ｅが設けられており、このストッパ１０ｅによって、壁面当接脚部１０が壁面に当接した正規姿勢状態における支持アーム８の回動方向の角度が一定（例えば、壁面に対して６０°など）に保持されるようにしている。なお、壁面当接脚部１０に対して支持アーム８を枢軸９の回りで壁面３側に起立回動させることは可能である。
【００１５】
枢軸９の両端は、図２（Ａ）に示すように、壁面当接脚部１０の筒軸部１０ｃ内に圧入嵌合されている。
壁面当接脚部１０の上側部材１０ａの先端と下側部材１０ｂの先端とには、壁面３に当接する部分１０ｆ，１０ｇが外向きに屈曲形成されており、その壁面当接面には、ゴムシートなどのクッション材が貼着されている。
一対の補助支持部材１１，１１は、図１及び図２（Ｂ）に示すように、壁面当接脚部１０の上側部材１０ａを省略して下側部材１０ｂのみとした形状と略同様な形状とされており、基端１１ａ，１１ａを枢軸９上に該枢軸９の長手方向に摺動可能に装着（挿通）されている。この補助支持部材１１の先端１１ｂ側は、既設のタオル掛けバー４と壁面３との間の空間１２に挿入可能とされている。そして、補助支持部材１１，１１は、既設のタオル掛けバー４の上面に当接掛止する部分１１ｃと壁面３に当接する部分１１ｄとを中間部分と先端部分に有している。壁面３に当接する部分１１ｄには、ゴムシートなどのクッション材が貼着されている。
【００１６】
本考案の第１の実施形態は以上の構成からなるもので、その使用時には、図１及び図２（Ｂ）に示すように、既設のタオル掛け１に対して、一対の補助支持部材１１，１１を枢軸９上で該枢軸９の長手方向に摺動させて既設のタオル掛けバー４の両端を支持する一対の支持部材５，５の間に配置し、この状態で、一対の補助支持部材１１，１１の先端１１ｂ側を既設のタオル掛けバー４と壁面３との間の空間１２に挿入し、該補助支持部材１１，１１の先端側の部分１１ｄを壁面に当接させると共に、中間部分１１ｃを既設のタオル掛けバー４の上面に当接掛止させる。そして、増設型のタオル掛け２の支持アーム８，８及び壁面当接脚部１０，１０を既設のタオル掛け１の支持部材５，５の両側へ図１の如く引き出してタオル掛けバー７の長さを所望の長さとし、壁面当接脚部１０，１０の上側部材１０ａ及び下側部材１０ｂの先端の部分１０ｆ、１０ｇを壁面３に当接させる。これにより、増設型のタオル掛け２は、既設のタオル掛け１に安定した状態で掛止され、タオル掛けバー７の長さを既設のタオル掛けバー４の長さ以上に長くした状態でタオルを掛止することができ、大型のバスタオル等も複数枚掛止することができる。増設型のタオル掛け２の不使用時には、支持アーム８，８を上部後方へ起立回動させて該支持アーム８，８の先端を壁面３に当接させることにより、前方への張り出しを少なくすることができる。また、本考案の増設型のタオル掛け２は、既設のタオル掛け１から簡単に外して別の場所に収納することもできる。
【００１７】
図３、図４は、本考案の増設型のタオル掛け２を既設のタオル掛け１に掛止した状態の第２の実施形態を示すもので、前記第１の実施形態の補助支持部材１１，１１の代わりに、先端にフック部分１３ａを有する腕杆形状の一対の補助支持部材１３，１３の基端１３ｂ、１３ｂを枢軸９上に該枢軸９の長手方向に摺動可能に装着（挿通）したものである。なお、第２の実施形態における本考案の増設型のタオル掛け２の他の構成は、前記第１の実施形態と同様であり、構成説明の重複をさけるため、同一部材には同一符号を付して構成の説明を省略する。
【００１８】
上記第２の実施形態は、使用時、図３に示すように、既設のタオル掛け１に対して、一対の補助支持部材１３，１３を枢軸９上で該枢軸９の長手方向に摺動させて既設のタオル掛けバー４の両端を支持する一対の支持部材５，５の間に配置し、この状態で、一対の補助支持部材１３，１３の先端のフック部分１３ａを既設のタオル掛けバー４に吊り下げ掛止させる。そして、増設型のタオル掛け２の支持アーム８，８及び壁面当接脚部１０，１０を既設のタオル掛けバー４よりも長く両側へ引き出してタオル掛けバー７の長さを所望の長さとし、壁面当接脚部１０，１０の上側部材１０ａ及び下側部材１０ｂの先端の部分１０ｆ、１０ｇを壁面３に当接させる。これにより、増設型のタオル掛け２は、既設のタオル掛け１に安定した状態で掛止され、かつ、支持アーム８，８及びタオル掛けバー７の自重によって壁面当接脚部１０，１０を壁面３に押し付けて保持させることができる。これにより、第２の実施形態も第１の実施形態と同様に、タオル掛けバー７の長さを既設のタオル掛けバー４の長さ以上に長くした状態でタオルを掛止することができ、大型のバスタオル等も複数枚掛止することができる。増設型のタオル掛け２の不使用時には、支持アーム８，８を上部後方へ起立回動させて該支持アーム８，８の先端を壁面３に当接させることにより、前方への張り出しを少なくすることができる。また、本考案の増設型のタオル掛け２は、既設のタオル掛け１から簡単に外して別の場所に収納することもできる。
【００１９】
本考案の増設型のタオル掛けは、以上の実施形態からなるものであるが、本考案は、上記実施形態にのみ限定されるものではなく、特許請求の範囲に記載した事項の意味と内容の範囲内において自由に変更して実施することができ、さらに、既設のタオル掛けの他、既設の手摺りに掛止させて使用することも可能である。
【図面の簡単な説明】
【００２０】
【図１】本考案の第１の実施形態の斜視図である。
【図２】（Ａ）は支持アームと壁面当接脚部との枢着部分の横断平面図であり、（Ｂ）は図１の縦断側面図である。
【図３】本考案の第２の実施形態の斜視図である。
【図４】図３の縦断側面図である。
【符号の説明】
【００２１】
１    既設のタオル掛け
２    本考案の増設型のタオル掛け
３    壁面
４    タオル掛けバー
５    支持部材
６    ネジ
７    タオル掛けバー
８    支持アーム
９    枢軸
１０  壁面当接脚部
１１  第１の実施形態の補助支持部材
１２  空間
１３  第２の実施形態の補助支持部材
【図１】
0003111984.tif 000003
【図２】
0003111984.tif 000004
【図３】
0003111984.tif 000005
【図４】
0003111984.tif 000006